(57)【要約】【課題】チロキシンなどの甲状腺ホルモンに結合する蛍光物質の波長を長波長化（>640 nm：溶血ヘム、ビリルビンの吸収波長より長波長）することによって、血清による干渉（溶血ヘム、ビリルビン）を受けにくいことを特徴とする抗甲状腺ホルモン抗体の測定方法を提供すること。【解決手段】シアニン系蛍光物質で標識した甲状腺ホルモンと抗甲状腺ホルモン抗体とを接触させて蛍光の変化を測定する、抗甲状腺ホルモン抗体の測定方法。【選択図】なし【特許請求の範囲】
【請求項１】
シアニン系蛍光物質で標識した甲状腺ホルモンと抗甲状腺ホルモン抗体とを接触させて蛍光の変化を測定する、抗甲状腺ホルモン抗体の測定方法。
【請求項２】
シアニン系蛍光物質で標識した甲状腺ホルモンの蛍光を測定する工程：シアニン系蛍光物質で標識した甲状腺ホルモンと抗甲状腺ホルモン抗体とを接触させる工程：及び、接触後の蛍光を測定する工程を含む、請求項１に記載の抗甲状腺ホルモン抗体の測定方法。
【請求項３】
シアニン系蛍光物質が下記一般式（Ｉ）で表される、請求項１又は２に記載の方法。
【化１】
2012037472.tif 000016
（式中、ＸはC(CH3)2を示し、Ｒ及びR'の少なくとも一方は標識用の官能基を示し、他方は低級アルキル基を示す。ｎは１から３の自然数を示す。ベンゼン環の水素原子は他の官能基で置換されていてもよい。）
【請求項４】
シアニン系蛍光物質がリンカーを介して甲状腺ホルモンに結合している、請求項１から３の何れか１項に記載の方法。
【請求項５】
シアニン系蛍光物質で標識した甲状腺ホルモンが、下記一般式(II)で表される、請求項１から４の何れか１項に記載の方法。
【化２】
2012037472.tif 000017
（式中、Ｒ1は炭素数1から４のアルキル基を表し、Ｒ2は水素原子または炭素数１から４のアルキル基を表し、Ｙは水素原子またはヨウ素原子を表す。Ｒ3、Ｒ4はそれぞれ独立にスルホン酸基、カルボキシル基、リン酸基またはこれらの塩から選ばれる基である。ｎ1は２または３を表し、ｎ2は３から７の自然数を表す。ｎ3およびｎ4はそれぞれ独立に０〜２の整数である。ｎ3またはｎ4が２である場合、１つのベンゼン環に結合している２つの置換基は同じものでもよいし、異なっていてもよい。）
【請求項６】
一般式(II) で表される化合物が、下記一般式(III)で表される、請求項５に記載の方法。
【化３】
2012037472.tif 000018
（式中、Ｒ3およびＲ4はスルホン酸基またはその塩である。）
【請求項７】
一般式(II)で示される化合物。
【化４】
2012037472.tif 000019
（式中、Ｒ1は炭素数1から４のアルキル基を表し、Ｒ2は水素原子または炭素数１から４のアルキル基を表し、Ｙは水素原子またはヨウ素原子を表す。Ｒ3、Ｒ4はそれぞれ独立にスルホン酸基、カルボキシル基、リン酸基またはこれらの塩から選ばれる基である。ｎ1は２または３を表し、ｎ2は３から７の自然数を表す。ｎ3およびｎ4はそれぞれ独立に０〜２の整数である。ｎ3またはｎ4が２である場合、１つのベンゼン環に結合している２つの置換基は同じものでもよいし、異なっていてもよい。）
【請求項８】
一般式(III) で表される化合物。
【化５】
2012037472.tif 000020
（式中、Ｒ3およびＲ4はスルホン酸基またはその塩である。）
【請求項９】
請求項７または８に記載の化合物を含む、抗甲状腺ホルモン抗体測定用試薬。
【発明の詳細な説明】
【技術分野】
【０００１】
本発明は、シアニン系蛍光物質で標識した甲状腺ホルモンを用いた抗甲状腺ホルモン抗体の測定方法に関する。
【背景技術】
【０００２】
甲状腺ホルモンは、甲状腺から分泌されるホルモンであり、具体的には、下記の構造式で表されるチロキシン（Ｔ４）とトリヨードチロニン（Ｔ３）が知られている。一般に、甲状腺ホルモンは全身の細胞に作用して細胞の代謝率を上昇させる働きを有する。血中を循環する甲状腺ホルモンのほとんどはチロキシン（Ｔ４）である。
【０００３】
【化１】
2012037472.tif 000002
【０００４】
試料中の抗甲状腺ホルモン抗体や、新たに取得した抗甲状腺ホルモン抗体の活性を評価する方法としては、当該抗甲状腺ホルモン抗体と甲状腺ホルモンとの反応性を測定する方法が挙げられる。例えば、非特許文献１には、フルオレセインイソチオシアネート（ＦＩＴＣ）で標識したチロキシンを用いた蛍光免疫アッセイが記載されている。非特許文献１には、ＦＩＴＣ標識チロキシンは弱い蛍光しか発しないが、抗チロキシン抗体の添加により蛍光が増強することが示されている。これによれば、チロキシン分子内にあるヨウ素の重原子効果によりFITCの蛍光が消光された分子（FITCとチロキシンとの結合体）を用いて、遊離したチロキシンと、抗体が結合した状態のチロキシンとを区別することが可能である。しかしながら、FITCはpH依存性があり、媒体の影響を受けやすいという問題があり、また、励起波長４９０ｎｍ及び発光波長５１０ｎｍと何れも500nm程度であるため、夾雑物の多い系（血清、血漿）では干渉を受けやすいという問題があった。
【０００５】
【化２】
2012037472.tif 000003
【先行技術文献】
【非特許文献】
【０００６】
【非特許文献１】FEBS Letters, 77, 25 (1977)
【発明の概要】
【発明が解決しようとする課題】
【０００７】
本発明の課題は、チロキシンなどの甲状腺ホルモンに結合する蛍光物質の波長を長波長化（>640 nm：溶血ヘム、ビリルビンの吸収波長より長波長）することによって、血清による干渉（溶血ヘム、ビリルビン）を受けにくいことを特徴とする抗甲状腺ホルモン抗体の測定方法を提供することである。さらに本発明の課題は、蛍光物質で標識した甲状腺ホルモンを用いた抗甲状腺ホルモン抗体の測定方法において、甲状腺ホルモンに抗甲状腺ホルモン抗体が未結合である状態と、甲状腺ホルモンに抗甲状腺ホルモン抗体が結合している状態とにおいて蛍光強度変化が大きいことを利用した高感度な抗甲状腺ホルモン抗体の測定方法を提供することを解決すべき課題とした。さらに本発明の課題は、上記の測定方法に用いることができるシアニン系蛍光物質で標識した甲状腺ホルモン、並びに上記の測定方法に用いることができる抗甲状腺ホルモン抗体測定用試薬を提供することである。
【課題を解決するための手段】
【０００８】
本発明者らは、上記課題を解決すべく鋭意検討した結果、シアニン系蛍光物質で標識したチロキシンと抗チロキシン抗体とを接触させることによって、大きな蛍光強度変化が実現できることを見出し、本発明を完成するに至った。
【０００９】
すなわち、本発明の態様は以下に関する。
（１）  シアニン系蛍光物質で標識した甲状腺ホルモンと抗甲状腺ホルモン抗体とを接触させて蛍光の変化を測定する、抗甲状腺ホルモン抗体の測定方法。
（２）  シアニン系蛍光物質で標識した甲状腺ホルモンの蛍光を測定する工程：シアニン系蛍光物質で標識した甲状腺ホルモンと抗甲状腺ホルモン抗体とを接触させる工程：及び、接触後の蛍光を測定する工程を含む、（１）に記載の抗甲状腺ホルモン抗体の測定方法。
（３）  シアニン系蛍光物質が下記一般式（Ｉ）で表される、（１）又は（２）に記載の方法。
【化３】
2012037472.tif 000004
（式中、ＸはC(CH3)2を示し、Ｒ及びR'の少なくとも一方は標識用の官能基を示し、他方は低級アルキル基を示す。ｎは１から３の自然数を示す。ベンゼン環の水素原子は他の官能基で置換されていてもよい。）
（４）  シアニン系蛍光物質がリンカーを介して甲状腺ホルモンに結合している、（１）から（３）の何れか１項に記載の方法。
（５）  シアニン系蛍光物質で標識した甲状腺ホルモンが、下記一般式(II)で表される、（１）から（４）の何れか１項に記載の方法。
【化４】
2012037472.tif 000005
（式中、Ｒ1は炭素数1から４のアルキル基を表し、Ｒ2は水素原子または炭素数１から４のアルキル基を表し、Ｙは水素原子またはヨウ素原子を表す。Ｒ3、Ｒ4はそれぞれ独立にスルホン酸基、カルボキシル基、リン酸基またはこれらの塩から選ばれる基である。ｎ1は２または３を表し、ｎ2は３から７の自然数を表す。ｎ3およびｎ4はそれぞれ独立に０〜２の整数である。ｎ3またはｎ4が２である場合、１つのベンゼン環に結合している２つの置換基は同じものでもよいし、異なっていてもよい。）
（６）  一般式(II) で表される化合物が、下記一般式(III)で表される、（５）に記載の方法。
【化５】
2012037472.tif 000006
（式中、Ｒ3およびＲ4はスルホン酸基またはその塩である。）
（７）  一般式(II)で示される化合物。
【化６】
2012037472.tif 000007
（式中、Ｒ1は炭素数1から４のアルキル基を表し、Ｒ2は水素原子または炭素数１から４のアルキル基を表し、Ｙは水素原子またはヨウ素原子を表す。Ｒ3、Ｒ4はそれぞれ独立にスルホン酸基、カルボキシル基、リン酸基またはこれらの塩から選ばれる基である。ｎ1は２または３を表し、ｎ2は３から７の自然数を表す。ｎ3およびｎ4はそれぞれ独立に０〜２の整数である。ｎ3またはｎ4が２である場合、１つのベンゼン環に結合している２つの置換基は同じものでもよいし、異なっていてもよい。）
（８） 一般式(III) で表される化合物。
【化７】
2012037472.tif 000008
（式中、Ｒ3およびＲ4はスルホン酸基またはその塩である。）
（９）  （７）または（８）に記載の化合物を含む、抗甲状腺ホルモン抗体測定用試薬。
【発明の効果】
【００１０】
本発明の抗甲状腺ホルモン抗体の測定方法によれば、シアニン系蛍光物質の波長特性（例えば、Cy5の波長特性はEx/Em= 650nm/670nmである）を利用することによって、血清干渉物質であるピリルビン、溶血ヘモグロビンの影響を回避することができることから、血清中での抗甲状腺ホルモン抗体を評価することが可能になる。また、本発明の抗甲状腺ホルモン抗体の測定方法においては、シアニン系蛍光物質を利用することによって、蛍光強度の変化の大きい系が実現でき、より感度の高い測定が可能となる。
【図面の簡単な説明】
【００１１】
【図１】図１は、Cy5-T4に対して、ハイブリドーマから作製した抗T4モノクローナル抗体を滴下して測定した結果を示す。
【図２】図２は、Cy5-T4に対して、抗T３モノクローナル抗体を滴下して測定した結果を示す。
【図３】図３は、Ｃｙ５に対して、ハイブリドーマから作製した抗T4モノクローナル抗体を滴下して測定した結果を示す。
【図４】図４は、短波長のBODIPY（Ex/Em= 490/500）-T4に対して、ハイブリドーマから作製した抗T4モノクローナル抗体を滴下して測定した結果を示す。
【図５】図５は、長波長のBODIPY（Ex/Em= 650/660）-T4に対して、ハイブリドーマから作製した抗T4モノクローナル抗体を滴下して測定した結果を示す。
【発明を実施するための形態】
【００１２】
以下、本発明についてさらに詳細に説明する。
本発明による抗甲状腺ホルモン抗体の測定方法は、シアニン系蛍光物質で標識した甲状腺ホルモンと抗甲状腺ホルモン抗体とを接触させて蛍光の変化を測定することを特徴とする。例えば、本発明による抗甲状腺ホルモン抗体の測定方法は、シアニン系蛍光物質で標識した甲状腺ホルモンの蛍光を測定する行程：シアニン系蛍光物質で標識した甲状腺ホルモンと抗甲状腺ホルモン抗体とを接触させる工程：及び、接触後の蛍光を測定する工程により行うことができる。本発明においては、シアニン系蛍光物質（例えばＣｙ５など）で標識した甲状腺ホルモンを用いて、抗甲状腺ホルモン抗体の活性を評価することが特徴である。シアニン系蛍光物質で標識した甲状腺ホルモンは、抗甲状腺ホルモン抗体に結合していない状態では消光しているが、抗甲状腺ホルモン抗体に結合している場合には強い蛍光を発する。このメカニズムを利用して、抗甲状腺ホルモン抗体の活性を評価することができる。
【００１３】
本発明の測定方法の測定対象である抗甲状腺ホルモン抗体としては、抗チロキシン（Ｔ４）抗体、又は抗トリヨードチロニン（Ｔ３）抗体の何れでもよいが、本発明の測定方法は、抗チロキシン（Ｔ４）抗体の測定用として特に有用である。
【００１４】
本発明においては、シアニン系蛍光物質で標識した甲状腺ホルモンと抗甲状腺ホルモン抗体とを接触させて蛍光の変化を測定することによって、抗甲状腺ホルモン抗体を測定する。ここで、シアニン系蛍光物質で標識した甲状腺ホルモンとしては、シアニン系蛍光物質で標識したチロキシン（Ｔ４）、又はシアニン系蛍光物質で標識したトリヨードチロニン（Ｔ３）の何れを用いてもよく、シアニン系蛍光物質で標識したチロキシン（Ｔ４）、又はシアニン系蛍光物質で標識したトリヨードチロニン（Ｔ３）の何れかを用いることによって、抗チロキシン（Ｔ４）抗体又は抗トリヨードチロニン（Ｔ３）抗体の何れをも測定することができる。好ましくは、シアニン系蛍光物質で標識したチロキシン（Ｔ４）を用いることによって抗チロキシン（Ｔ４）抗体を測定し、シアニン系蛍光物質で標識したトリヨードチロニン（Ｔ３）を用いることによって抗トリヨードチロニン（Ｔ３）抗体を測定することができる。
【００１５】
本発明で用いるシアニン系蛍光物質は、シアニン骨格を含み、本発明の効果（即ち、血清干渉物質であるピリルビン、溶血ヘモグロビンの影響を回避することができる波長を有し、かつ抗チロキシン抗体の存在の有無により、シアニン系蛍光物質で標識したチロキシンの蛍光強度の変化の大きい）が達成できる限り、その構造は特に限定されない。好ましくは、シアニン系蛍光物質が、下記式で示される蛍光物質である。
【００１６】
【化８】
2012037472.tif 000009
（式中、ＸはC(CH3)2を示し、Ｒ及びR'の少なくとも一方は標識用の官能基を示し、他方は低級アルキル基を示す。ｎは１から５の整数を示す。ベンゼン環の水素原子は他の官能基で置換されていてもよい。）
【００１７】
標識用の官能基としては、カルボキシル基、アミノ基、アルデヒド基、ケトン基、マレイミド基、チオール基などを示し、これらの官能基は、リンカーを介してＮ原子に結合していてもよい。
また、ベンゼン環上の置換基としては、スルホン酸基、カルボキシル基、リン酸基、  などが挙げられる。
【００１８】
シアニン系蛍光物質は甲状腺ホルモンに結合して用いるが、シアニン系蛍光物質はリンカーを介して甲状腺ホルモンに結合していることが好ましい。リンカーとしては、例えば、−Ｏ−、−ＮＨ−、−ＣＯ−、低級アルキレンから選ばれる基の組合せであってもよい。例えば、チロキシン誘導体のアミノ基に、必要に応じて適当なリンカーを介して活性エステル基を導入したシアニン系蛍光物質を反応させることによって、シアニン系蛍光物質を甲状腺ホルモンに結合させ、甲状腺ホルモンとシアニン系蛍光物質との結合体を調製することができる。
【００１９】
本発明で用いるシアニン系蛍光物質で標識した甲状腺ホルモンは、好ましくは、下記一般式(II)で表される構造を有する。
【化９】
2012037472.tif 000010
（式中、Ｒ1は炭素数1から４のアルキル基を表し、Ｒ2は水素原子または炭素数１から４のアルキル基を表し、Ｙは水素原子またはヨウ素原子を表す。Ｒ3、Ｒ4はそれぞれ独立にスルホン酸基、カルボキシル基、リン酸基またはこれらの塩から選ばれる基である。ｎ1は２または３を表し、ｎ2は３から７の自然数を表す。ｎ3およびｎ4はそれぞれ独立に０〜２の整数である。ｎ3またはｎ4が２である場合、１つのベンゼン環に結合している２つの置換基は同じものでもよいし、異なっていてもよい。）
【００２０】
炭素数１から４のアルキル基としては、メチル基、エチル基、プロピル基、又はブチル基が挙げられ、これらは直鎖でも分岐鎖でもよい。
Ｒ3またはＲ4が塩である場合、例としては、リチウム塩、ナトリウム塩、カリウム塩、カルシウム塩、マグネシウム塩および４級アンモニウム塩等が挙げられる。
【００２１】
上記の一般式(II) で表される化合物のうち特に好ましい化合物は、下記一般式(III)で表される化合物である。
【化１０】
2012037472.tif 000011
（式中、Ｒ3およびＲ4はスルホン酸基またはその塩である。）
【００２２】
本発明におけるシアニン系蛍光物質としては、好ましくは、ＣｙＤｙｅ（TM）シリーズ（GEヘルスケア）の蛍光物質を使用することができ、Ｃｙ２、Ｃｙ３、Ｃｙ３Ｂ、Ｃｙ３．５、Ｃｙ５、Ｃｙ５．５、Ｃｙ７などを使用することができるが、特に好ましくはＣｙ５を使用することができる。
【００２３】
本発明で測定に供される抗甲状腺ホルモン抗体は、ポリクローナル抗体でもモノクローナル抗体でもよく、その種類、製造方法などは特に限定されない。なお、血清干渉物質であるピリルビン、溶血ヘモグロビンの影響を回避することができるという本発明の効果の観点から言うと、血清中の抗甲状腺ホルモン抗体を評価することが好ましい。
【００２４】
本発明においては、シアニン系蛍光物質で標識した甲状腺ホルモンと抗甲状腺ホルモン抗体との接触による蛍光の変化を測定する。即ち、抗甲状腺ホルモン抗体の非存在下における、シアニン系蛍光物質で標識した甲状腺ホルモンの蛍光強度と、抗甲状腺ホルモン抗体の存在下におけるシアニン系蛍光物質で標識した甲状腺ホルモンの蛍光強度とを測定し、その蛍光の変化を指標として抗甲状腺ホルモン抗体の活性を評価することができる。蛍光強度の測定は、当業者に公知の方法で行うことができ、例えば市販の蛍光測定機を用いて行うことができる。
【００２５】
本発明によれば、下記一般式(II)で示される化合物が提供される。
【化１１】
2012037472.tif 000012
（式中、Ｒ1は炭素数1から４のアルキル基を表し、Ｒ2は水素原子または炭素数１から４のアルキル基を表し、Ｙは水素原子またはヨウ素原子を表す。Ｒ3、Ｒ4はそれぞれ独立にスルホン酸基、カルボキシル基、リン酸基またはこれらの塩から選ばれる基である。ｎ1は２または３を表し、ｎ2は３から７の自然数を表す。ｎ3およびｎ4はそれぞれ独立に０〜２の整数である。ｎ3またはｎ4が２である場合、１つのベンゼン環に結合している２つの置換基は同じものでもよいし、異なっていてもよい。）
【００２６】
上記一般式(II)で示される化合物は、本発明による抗甲状腺ホルモン抗体の測定方法において、抗甲状腺ホルモン抗体測定用試薬として使用することができる。
【００２７】
以下、実施例により本発明をさらに具体的に説明するが、本発明は実施例に限定されるものではない。
【実施例】
【００２８】
蛍光物質Cy5は、GEヘルスケア社から購入した。また、チロキシンはシグマ−アルドリッチ社から購入した。チロキシン（Ｔ４）メチルエステルは、Bull. Chem. Soc., 52, 1879 (1979)に記載の合成方法を改良した。次のステップのアミド化反応を経て最終化合物を得た。
【００２９】
合成例１：Cy5-T4の合成
【化１２】
2012037472.tif 000013
【００３０】
2 mL DMFにチロキシンメチルエステル12 mg(12μmol)を溶解させ、DIPEA（N,Nジイソプロピルエチルアミン）を2.5μL(15μmol)加え、Cy5-NHS esterを10mg(13μmol)加えた。室温で6時間攪拌した。反応の終了をTLCで確認し、溶媒を減圧留去し、精製は逆相カラムクロマトグラフィー（ODS：H2O/ MeOH = 1/1）で行い、青色固体5 mg(27%)を得た。その後、同定はMALDI-TOF-MSで行った。その結果を以下に示す。
MALDI-TOF-MS（positive mode）[M+1]+ = 1467
【００３１】
合成例２：短波長のBODIPY（Ex/Em= 490/500）-T4の合成
【化１３】
2012037472.tif 000014
【００３２】
2 mL DMFにチロキシンメチルエステル12 mg(12μmol)を溶解させ、DIPEAを4μL(24μmol)加え、BODIPY(490/500)-NHS esterを5mg(12μmol)加えた。室温で2時間攪拌した。反応の終了をTLCで確認し、溶媒を減圧留去し、精製はカラムクロマトグラフィー（シリカゲル：Hexane/ AcEt = 1/2）で行い、黄色固体5 mg(38%)を得た。その後、同定はESI-MSで行った。その結果を以下に示す。
ESI-MS（negative mode）[M]- = 1092.0
【００３３】
合成例３：長波長のBODIPY（Ex/Em= 650/660）-T4の合成
【化１４】
2012037472.tif 000015
【００３４】
2 mL DMFにチロキシンメチルエステル31 mg(32μmol)を溶解させ、DIPEAを11μL(128μmol)加え、BODIPY(650/660)-NHS esterを10mg(16μmol)加えた。室温で2時間攪拌した。反応の終了をTLCで確認し、溶媒を減圧留去し、精製はカラムクロマトグラフィー（シリカゲル：Hexane/ AcEt = 1/3）で行い、青色固体3mg(14%)を得た。その後、同定はMALDI-TOF-MSで行った。その結果を以下に示す。
MALDI-TOF-MS（positive mode）[M+K]+ = 1342.4
【００３５】
試験例１：抗チロキシン抗体の蛍光滴定
（方法）
蛍光測定機：RF-4300（島津社製）
Ex= 630 nm, Ex/Em= 1.5 nm/3 nm, 感度：High
1cm 石英セル（2 mL）
[Dye-T4]= 5×10-7 M
[T4 Ab] = 5.4mg/mL in PBS buffer
【００３６】
以下の測定を行った。
実施例１：
Cy5-T4に対して、ハイブリドーマから作製した抗T4モノクローナル抗体（Kd = 10-11 M程度）を滴下して測定した。結果を図１に示す。抗T4モノクローナル抗体の添加前と添加後における蛍光強度の変化は約５倍程度であった。これに対し、FEBS Letters, 77, 25(1977)の測定系では、蛍光強度変化は3.5倍程度である。従って、本発明における蛍光強度の変化は、従来の測定系よりも有意に高いことが判明した。また、蛍光色素としてFITCではなくCy5を使用することにより、媒体のpHの影響を受けにくい系を実現することができた。
【００３７】
比較例１（コントロール）：
Cy5-T4に対して、抗T３モノクローナル抗体を滴下して測定した。結果を図２に示す。
【００３８】
比較例２：
Ｃｙ５に対して、ハイブリドーマから作製した抗T4モノクローナル抗体（Kd = 10-11 M程度）を滴下して測定した。結果を図３に示す。
【００３９】
比較例３：
短波長のBODIPY（Ex/Em= 490/500）-T4に対して、ハイブリドーマから作製した抗T4モノクローナル抗体（Kd = 10-11 M程度）を滴下して測定した。結果を図４に示す。抗T4モノクローナル抗体の添加の有無で蛍光強度の変化はなかった。この理由は、抗体のない状態で、蛍光消光を起こし、抗体の結合に伴い蛍光の消光が解消される系ではないためである。即ち、BODIPYは蛍光消光を起こしにくい色素であることが示唆された。一方、本発明で使用するシアニン色素は会合消光しやすい性質がある。
【００４０】
比較例４：
長波長のBODIPY（Ex/Em= 650/660）-T4に対して、ハイブリドーマから作製した抗T4モノクローナル抗体（Kd = 10-11 M程度）を滴下して測定した。結果を図５に示す。抗T4モノクローナル抗体の添加の有無で蛍光強度の変化はなかった（抗T4モノクローナル抗体の添加前も添加後も蛍光は検出されなかった）。この理由は、長波長のBODIPYを使用するこの系は、抗体の結合に伴い蛍光強度が変化しない系であるためである。即ち、  この系は、抗体のない状態で蛍光消光を起こし、抗体の結合に伴い蛍光の消光が解消される系ではない。
【図１】
2012037472.tif 000021
【図２】
2012037472.tif 000022
【図３】
2012037472.tif 000023
【図４】
2012037472.tif 000024
【図５】
2012037472.tif 000025